【手続補正書】
【提出日】平成23年8月4日(2011.8.4)
【手続補正１】
【補正対象書類名】特許請求の範囲
【補正対象項目名】全文
【補正方法】変更
【補正の内容】
【特許請求の範囲】
【請求項１】
複数の端末がＩＰ通信網及び通信回線を介して接続され、前記ＩＰ通信網は端末Ｔから送信された他の端末の電話番号を基に、前記他の端末のＩＣＳユーザアドレスを特定して前記端末Ｔに返信する機能を有し、
端末Ｔ１は通信回線Ｌ１を経て前記ＩＰ通信網に接続され、端末Ｔ２は、通信回線Ｌ２を経て前記ＩＰ通信網に接続され、
前記端末Ｔ１は電話番号入力部、ＩＰアドレス蓄積部、音声入出力部、音声データ送受部を含み、前記端末Ｔ１は、前記電話番号入力部から入力された前記端末Ｔ２の電話番号ＴＮ２を含むＩＰフレームを前記ＩＰ通信網に送信し、
前記ＩＰ通信網は、前記電話番号ＴＮ２を基に前記端末Ｔ２のＩＣＳユーザアドレスＰ２を特定して前記端末Ｔ１に返信し、前記端末Ｔ１は受信した前記ＩＣＳユーザアドレスＰ２を前記ＩＰアドレス蓄積部に蓄積し、前記音声入出力部から入力された音声はディジタルデータに変換され、前記ディジタルデータは、前記音声データ送受部において、前記ＩＰアドレス蓄積部に蓄積された前記ＩＣＳユーザアドレスＰ２を宛先アドレスとするＩＰフレームに格納され、前記ＩＰフレームは前記通信回線Ｌ１、前記ＩＰ通信網、前記通信回線Ｌ２を経由して前記端末Ｔ２に送信されることを特徴とするＩＰ通信網を用いたＩＰ通信システム。
【請求項２】
複数の無線端末がＩＰ通信網及び無線通信路を介して接続され、前記ＩＰ通信網は、無線端末Ｔから送信された他の無線端末の電話番号を基に、前記他の無線端末のＩＣＳユーザアドレスを特定して前記無線端末Ｔに返信する機能を有し、
無線端末Ｍ１は無線通信路Ｒ１を経て前記ＩＰ通信網に接続され、無線端末Ｍ２は無線通信路Ｒ２を経て前記ＩＰ通信網に接続され、
前記無線端末Ｍ１は電話番号入力部、ＩＰアドレス蓄積部、音声入出力部、音声データ送受部を含み、
前記無線端末Ｍ１は、前記電話番号入力部から入力された前記無線端末Ｍ２の電話番号ＭＮ２を含むＩＰフレームを前記ＩＰ通信網に送信し、前記ＩＰ通信網は、前記ＩＰフレームを基に前記電話番号ＭＮ２を基に前記無線端末Ｍ２のＩＣＳユーザアドレスＰ２を特定して前記無線端末Ｍ１に返信し、前記無線端末Ｍ１は受信した前記ＩＣＳユーザアドレスＰ２を前記ＩＰアドレス蓄積部に蓄積し、前記音声入出力部から入力された音声はディジタルデータに変換され、変換された前記音声は前記音声データ送受部において、前記ＩＰアドレス蓄積部に蓄積された前記ＩＣＳユーザアドレスＰ２を宛先アドレスとするＩＰフレームに格納され、前記ＩＰフレームは前記無線通信路Ｒ１、前記ＩＰ通信網、前記無線通信路Ｒ２を経由して前記無線端末Ｍ２に送信されることを特徴とするＩＰ通信網を用いたＩＰ通信システム。
【請求項３】
ＩＰ通信網は、複数のアクセス制御装置が通信回線で直接又は中継装置を経て間接的に接続されて構成されており、前記アクセス制御装置は複数の論理端子を含み、前記ＩＰ通信網外部の端末は前記論理端子に接続され、
端末Ｔ１は通信回線Ｌ１を経てアクセス制御装置ＧＷ１の論理端子ＬＰ１に接続され、端末Ｔ２は通信回線Ｌ２を経て前記アクセス制御装置ＧＷ２の論理端子ＬＰ２に接続され、
前記端末Ｔ１は前記端末Ｔ２のＩＣＳユーザアドレスＧＡ２を含むＩＣＳユーザフレームＧＰを形成し、前記ＩＣＳユーザフレームＧＰを前記通信回線Ｌ１及び前記論理端子ＬＰ１を経て前記アクセス制御装置ＧＷ１に送信し、前記アクセス制御装置ＧＷ１は、前記ＩＣＳユーザアドレスＧＡ２及び前記論理端子ＬＰ１を識別する識別情報を基に、前記ＩＣＳユーザフレームＧＰを含み、宛先が決定されたＩＣＳネットワークフレームＮＰを形成し、前記ＩＣＳネットワークフレームＮＰを前記アクセス制御装置ＧＷ２に送信し、前記アクセス制御装置ＧＷ２は前記ＩＣＳネットワークフレームＮＰから前記ＩＣＳユーザフレームＧＰを復元し、復元した前記ＩＣＳユーザフレームＧＰを、前記論理端子ＬＰ２及び前記通信回線Ｌ２を経て前記端末Ｔ２に送信することを特徴とするＩＰ通信網を用いたＩＰ通信システム。
【請求項４】
ＩＰ通信網は、複数のアクセス制御装置及び複数の無線送受信機を含み、複数のアクセス制御装置が通信回線で直接又は中継装置を経て間接的に接続されて構成されており、
前記アクセス制御装置は複数の論理端子を含み、前記無線送受信機は、前記アクセス制御装置のいずれかの論理端子に、ＩＣＳユーザフレーム送受可能な通信回線で接続されており、
無線送受信機ＮＲ１は前記アクセス制御装置ＧＷ１の論理端子ＬＰ１及び情報通信路Ｊ１を介して接続されており、無線送受信機ＮＲ２は前記アクセス制御装置ＧＷ２の論理端子ＬＰ２及び情報通信路Ｊ２を介して接続されており、
前記ＩＰ通信網外部にある端末は無線送受信機能を含み、前記無線送受信機１又は無線送受信機２及び無線通信路を経由してＩＣＳユーザフレームを送受可能であり、
前記端末Ｔ１は、ＩＣＳユーザフレームＧＰを無線通信路Ｌ１、前記無線送受信機ＮＲ１、前記情報通信路Ｊ１を経て前記論理端子ＬＰ１に送信し、
前記アクセス制御装置ＧＷ１は、前記ＩＣＳユーザフレームＧＰ内の宛先ＩＣＳユーザアドレスＧＡ２及び前記論理端子ＬＰ１を識別する識別情報を基に、前記ＩＣＳユーザフレームＧＰを含み、送信先が決定されたＩＣＳネットワークフレームＮＰを形成して着信側の前記アクセス制御装置ＧＷ２に前記ＩＣＳネットワークフレームＮＰを送信し、前記アクセス制御装置ＧＷ２は前記ＩＣＳネットワークフレームＮＰから前記ＩＣＳユーザフレームＧＰを復元し、復元した前記ＩＣＳユーザフレームＧＰを前記論理端子ＬＰ２、前記情報通信路Ｊ２、前記無線送受信機ＮＲ２、無線通信路Ｌ２を経由して前記端末Ｔ２に送信することを特徴とするＩＰ通信網を用いたＩＰ通信システム。
【請求項５】
前記ＩＰ通信網は課金サーバを含み、前記課金サーバは課金条件を含み、前記課金サーバが、前記端末間の通信及び前記課金条件を基に課金情報収集を行う請求項３又は４に記載のＩＰ通信網を用いたＩＰ通信システム。
【請求項６】
前記ＩＰ通信網は変換表サーバを含み、前記アクセス制御装置は変換表を含み、前記アクセス制御装置は、前記変換表から前記ＩＣＳユーザアドレスＧＡ２及び前記論理端子ＬＰ１を識別する識別情報を得て前記ＩＣＳネットワークフレームを形成し、前記変換表サーバは前記アクセス制御装置内部の前記変換表のレコードを書き換えるようになっている請求項３又は４に記載のＩＰ通信網を用いたＩＰ通信システム。
【請求項７】
前記ＩＰ通信網は更にドメイン名サーバを含み、端末Ｔｘから端末Ｔｙのドメイン名ＴＮｙを得ると、前記端末ＴｙのＩＣＳユーザアドレスＡＤｙを特定して前記端末Ｔｘに返信する機能を有し、前記端末Ｔ１は、宛先とする前記端末Ｔ２のドメイン名ＴＮ２を前記ＩＰ通信網に送信し、前記ＩＰ通信網は、前記ドメイン名ＴＮ２を基に前記端末Ｔ２のＩＣＳユーザアドレスＧＡ２を特定して前記端末Ｔ１に返信し、前記端末Ｔ１は、前記端末Ｔ２のＩＣＳユーザアドレスＧＡ２を含むＩＣＳユーザフレームＧＰを形成して送信するようになっている請求項３又は４に記載のＩＰ通信網を用いたＩＰ通信システム。
【請求項８】
前記ＩＰ通信網は更にサーバを含み、端末Ｔｘから端末Ｔｙの電話番号ＴＮｙを得ると、前記端末ＴｙのＩＣＳユーザアドレスＡＤｙを特定して前記端末Ｔｘに返信する機能を有し、前記端末Ｔ１は、宛先とする前記端末Ｔ２の電話番号ＴＮ２を前記ＩＰ通信網に送信し、前記ＩＰ通信網は、前記電話番号ＴＮ２を基に前記端末Ｔ２のＩＣＳユーザアドレスＧＡ２を特定して前記端末Ｔ１に返信し、前記端末Ｔ１は、前記端末Ｔ２のＩＣＳユーザアドレスＧＡ２を含むＩＣＳユーザフレームＧＰを形成して送信するようになっている請求項３又は４に記載のＩＰ通信網を用いたＩＰ通信システム。
【請求項９】
前記アクセス制御装置ＧＷ１が前記ＩＣＳネットワークフレームＮＰを形成するとき、前記ＩＣＳユーザフレームＧＰを暗号化して前記ＩＣＳネットワークフレームＮＰの内部に格納するようになっている請求項３又は４に記載のＩＰ通信網を用いたＩＰ通信システム。
【請求項１０】
前記アクセス制御装置ＧＷ１が前記ＩＣＳネットワークフレームＮＰを形成するとき、前記ＩＣＳユーザフレームＧＰを対象として電子署名を生成し、前記ＩＣＳユーザフレームＧＰ及び前記生成した電子署名を含む前記ＩＣＳネットワークフレームＧＰを形成する請求項３又は４に記載のＩＰ通信網を用いたＩＰ通信システム。
【請求項１１】
前記アクセス制御装置ＧＷ１は発信優先度を含み、前記発信優先度に従って前記ＩＣＳネットワークフレームＮＰを前記アクセス制御装置２に送信する順序を決定するようになっている請求項３又は４に記載のＩＰ通信網を用いたＩＰ通信システム。
【請求項１２】
前記アクセス制御装置ＧＷ２は着信優先度を含み、前記着信優先度に従って前記復元したＩＣＳユーザフレームを送信する順序を決定するようになっている請求項３又は４に記載のＩＰ通信網を用いたＩＰ通信システム。
【請求項１３】
前記アクセス制御装置ＧＷ１が前記ＩＣＳネットワークフレームを形成するときに、前記ＩＣＳネットワークフレームの制御部に優先度又は速度クラスを設定し、前記優先度は、前記ＩＣＳネットワークフレームが送信されるときに、前記ＩＰ通信網内の中継装置が前記優先度に従った順に前記ＩＣＳネットワークフレームを送信するために用いられ、前記速度クラスは、前記ＩＣＳネットワークフレームが送信されるときに、前記ＩＰ通信網内の前記中継装置が前記速度クラスに従って前記ＩＣＳネットワークフレームが送信される速度クラスが付与された通信回線を選択するため用いられる請求項３又は４に記載のＩＰ通信網を用いたＩＰ通信システム。
【請求項１４】
ＩＰ通信網は、複数のアクセス制御装置が通信回線で直接又は中継装置を経て間接的に接続された構成になっており、
前記各アクセス制御装置は複数の論理端子及び変換表を含み、
アクセス制御装置ＧＷ１は変換表Ｈ１を含み、
端末Ｔ１は通信回線Ｌ１を経てアクセス制御装置ＧＷ１の論理端子ＬＰ１に接続され、端末Ｔ２は通信回線Ｌ２を経て前記アクセス制御装置ＧＷ２の論理端子ＬＰ２に接続され、
前記端末Ｔ１は、ＩＣＳユーザフレームを前記通信回線Ｌ１を経由して前記論理端子ＬＰ１に送信し、前記アクセス制御装置ＧＷ１は前記変換表Ｈ１を参照し、前記ＩＣＳユーザフレーム内の宛先ＩＣＳユーザアドレスと前記論理端子ＬＰ１を識別する識別情報を基に、前記ＩＣＳユーザフレームを含み、送信先が決定されたＩＣＳネットワークフレームを形成し、前記ＩＣＳネットワークフレームを前記アクセス制御装置ＧＷ２に送信し、前記アクセス制御装置ＧＷ２は前記ＩＣＳネットワークフレームから前記ＩＣＳユーザフレームを復元し、復元した前記ＩＣＳユーザフレームを前記論理端子ＬＰ２及び前記通信回線Ｌ２を経由して前記端末Ｔ２に送信することを特徴とするＩＰ通信網を用いたＩＰ通信システム。
【請求項１５】
前記アクセス制御装置ＧＷ１が前記ＩＣＳネットワークフレームを形成するとき、前記変換表Ｈ１内の電子署名の指定に基づいて、前記ＩＣＳユーザフレームを対象として電子署名を生成し、前記ＩＣＳユーザフレームＧＰ及び前記生成した電子署名を含む前記ＩＣＳネットワークフレームを形成する請求項１４に記載のＩＰ通信網を用いたＩＰ通信システム。
【請求項１６】
前記ＩＣＳネットワークフレームから前記ＩＣＳユーザフレームを復元するとき、前記アクセス制御装置ＧＷ２内の変換表Ｈ２内の電子署名の指定に基づいて、前記復元したユーザフレームに電子署名を行う請求項１４に記載のＩＰ通信網を用いたＩＰ通信システム。
【請求項１７】
前記アクセス制御装置ＧＷ１が前記ＩＣＳネットワークフレームを形成するとき、前記変換表Ｈ１内の優先度又は速度クラスの指定に基づいて、前記ＩＣＳネットワークフレームの制御部に優先度又は速度クラスを書き込み、前記優先度は、前記ＩＣＳネットワークフレームが送信されるときに、前記ＩＰ通信網内の前記中継装置が前記優先度に従った順に前記ＩＣＳネットワークフレームを送信するために用いられ、前記速度クラスは、前記ＩＣＳネットワークフレームが送信されるときに、前記ＩＰ通信網内の前記中継装置が前記速度クラスに従って前記ＩＣＳネットワークフレームが送信される速度クラスが付与された通信回線を選択するため用いられる請求項１４に記載のＩＰ通信網を用いたＩＰ通信システム。
【請求項１８】
前記ＩＰ通信網に公衆電話交換網が接続され、前記公衆電話交換網には電話機が接続され、発信側端末と前記電話機間で通信を行うようになっている請求項１７に記載のＩＰ通信網を用いたＩＰ通信システム。
【請求項１９】
前記ＩＰ通信網に携帯電話回線が接続され、前記携帯電話回線には別の端末が接続され、発信側端末と前記携帯電話回線に接続された別の端末との間で通信を行うようになっている請求項１７に記載のＩＰ通信網を用いたＩＰ通信システム。
【請求項２０】
前記ＩＰ通信網に無線通信路が接続され、前記無線通信路には別の端末が接続され、前記端末と前記無線通信路に接続された別の端末との間で通信を行うようになっている請求項１７に記載のＩＰ通信網を用いたＩＰ通信システム。
【請求項２１】
ＩＰ通信網は複数の論理端子を含み、前記論路端子は通信回線を経て前記ＩＰ通信網外部の端末に接続され、
端末Ｔ１は通信回線Ｌ１及び論路端子ＬＰ１を経て前記ＩＰ通信網に接続され、端末Ｔ２は通信回線Ｌ２及び論理端子ＬＰ２を経て前記ＩＰ通信網に接続され、
前記端末Ｔ１は、前記端末Ｔ２のＩＣＳユーザアドレスＧＡ２を含むＩＣＳユーザフレームを前記通信回線Ｌ１及び前記論理端子ＬＰ１を経て前記ＩＰ通信網に送信し、前記ＩＰ通信網は、前記論理端子ＬＰ１を識別する情報及び前記ＩＣＳユーザアドレスＧＡ２を基に、前記ＩＣＳユーザフレームを含むＩＣＳネットワークフレームを形成して前記論理端子ＬＰ２に送信し、前記ＩＣＳネットワークフレームから前記ＩＣＳユーザフレームを復元して前記通信回線Ｌ２を経由して前記端末Ｔ２に送信することを特徴とするＩＰ通信網を用いたＩＰ通信システム。
【請求項２２】
通信網は、サーバ及び課金サーバを含み、前記サーバは端末から宛先端末のドメイン名を受け取り、前記サーバは前記ドメイン名をもとに、前記宛先端末のＩＣＳアドレスを探し出して前記端末に送り、前記通信網は、前記端末から前記宛先端末のＩＣＳアドレスを含むＩＣＳユーザフレームを受け取り、前記ＩＣＳユーザフレームを前記宛先端末に送り、前記端末と前記宛先端末の間の通信に対する課金条件をもとに、前記課金サーバは、前記端末と前記宛先端末の間の通信に対して課金動作を行う通信システム。
【請求項２３】
通信網は、サーバ及び課金サーバを含み、前記サーバは端末から宛先端末の電話番号を受け取り、前記サーバは前記電話番号をもとに、前記宛先端末のＩＣＳアドレスを探し出して前記端末に送り、前記通信網は、前記端末から前記宛先端末のＩＣＳアドレスを含むＩＣＳユーザフレームを受け取り、前記ＩＣＳユーザフレームを前記宛先端末に送り、前記端末と前記宛先端末の間の通信に対する課金条件をもとに前記課金サーバは、前記端末と前記宛先端末の間の通信に対して課金動作を行う通信システム。
【請求項２４】
前記サーバがドメイン名サーバである請求項２２又は２３に記載の通信システム。
【請求項２５】
前記通信システムは公衆電話交換網に接続され、前記端末と前記公衆電話交換網に接続された端末との間で通信を行う請求項２３又は２４に記載の通信システム。
【請求項２６】
前記通信システムは携帯通信網に接続され、前記端末と前記携帯通信網に接続された携帯端末との間で通信を行う請求項２３又は２４に記載の通信システム。
【請求項２７】
前記電話番号に代えて前記端末はドメイン名を前記サーバに送る請求項２３に記載の通信システム。
【請求項２８】
ＩＰ通信網は装置を含み、端末Ｔ１及びＴ２は、前記ＩＰ通信網に接続され、
前記ＩＰ通信網は、前記端末Ｔ１から、前記端末Ｔ２の電話番号を受け取り、前記ＩＰ通信網は前記端末Ｔ２の電話番号をもとに、前記端末Ｔ２に着信を知らせる装置Ａ２のＩＰアドレスを定め、前記装置Ａ２は、前記ＩＰアドレスと、着信があることを前記端末Ｔ２に伝えるための情報を含むＩＰパケット１を受け取り、前記端末Ｔ２に着信を送り、前記端末Ｔ２が応答を返し、
前記ＩＰ通信網は前記端末Ｔ１から前記端末Ｔ２のＩＰアドレスを含むＩＰパケット２を受け取り、前記端末Ｔ２に送ることにより、前記端末Ｔ１と前記端末Ｔ２の間の通信を行うことを特徴とする通信システム。
【請求項２９】
ＩＰ通信網は装置及び課金サーバを含み、前記課金サーバは課金条件を含み、端末Ｔ１及びＴ２は、前記ＩＰ通信網に接続され、
装置Ａ１は、前記端末Ｔ１から、前記端末Ｔ２の電話番号を受け取り、前記ＩＰ通信網は前記端末Ｔ２の電話番号をもとに、前記端末Ｔ２に着信を知らせる装置Ａ２のＩＰアドレスを定め、前記装置Ａ１は、前記ＩＰアドレスと、着信があることを前記端末Ｔ２に伝えるための情報を含むＩＰパケット１を前記装置Ａ２に送り、前記装置Ａ２は、前記端末Ｔ２に着信を送り、前記端末Ｔ２が応答を返し、
前記ＩＰ通信網は前記端末Ｔ１から前記端末Ｔ２のＩＰアドレスを含むＩＰパケット２を受け取り、前記端末Ｔ２に送ることにより、前記端末Ｔ１と前記端末Ｔ２の間の通信を行い、前記課金サーバは、前記通信の課金情報を前記装置Ａ１又はＡ２から受け取り、前記課金情報及び前記課金条件を元に前記端末Ｔ１と前記端末Ｔ２の通信に課金動作を行うことを特徴とする通信システム。
【請求項３０】
ＩＰ通信網は、サーバと課金サーバを含み、前記サーバは前記ＩＰ通信網に接続された端末から宛先端末のドメイン名を受け取り、前記ドメイン名をもとに前記宛先端末のＩＰアドレスを前記端末に返信し、前記ＩＰ通信網は前記ＩＰアドレスを含むＩＰパケットを前記端末から受け取り、前記宛先端末に送ることにより、前記端末と前記宛先端末間の通信が行われ、前記課金サーバは課金条件を含み、前記課金条件は端末識別情報で検索可能であり、前記端末識別情報は、ＩＰアドレス、ドメイン名、電話番号或は端末ＩＤ等が用いられ、前記課金サーバは、前記端末と前記宛先端末の通信の課金情報を受け取り、前記課金情報及び前記端末識別情報と前記課金条件をもとに課金動作が行われることを特徴とする通信システム。
【請求項３１】
前記ＩＰ通信網は、前記端末Ｔ２の電話番号をもとに前記端末Ｔ２のＩＰアドレスを特定して前記端末Ｔ１に返信する請求項２８又は２９のいずれかに記載の通信システム。
【請求項３２】
前記電話番号に替えてドメイン名を用いる請求項２８又は２９又は３１に記載の通信システム。
【請求項３３】
前記ＩＰ通信網は課金サーバを含み、前記課金サーバは課金条件を含み、前記課金条件をもとに前記通信に対し課金動作を行う請求項２８に記載の通信システム。
【請求項３４】
前記通信網は公衆電話網と接続され、前記公衆電話網には端末が接続され、前記端末Ｔ１と前記端末との間で通信が行われる請求項２８乃至３３のいずれかに記載の通信システム。
【請求項３５】
前記通信網は携帯電話網と接続され、前記携帯電話網には端末が接続され、前記端末Ｔ１と前記端末との間で通信が行われる請求項２８乃至３３のいずれかに記載の通信システム。
【請求項３６】
前記通信網はインターネットと接続され、前記インターネットには端末が接続され、前記端末Ｔ１と前記端末との間で通信が行われる請求項２８乃至３３のいずれかに記載の通信システム。
【請求項３７】
前記通信網はＩＰ通信網と接続され、前記ＩＰ通信網には端末が接続され、前記端末Ｔ１と前記端末との間で通信が行われる請求項２８乃至３３のいずれかに記載の通信システム。